(57)【要約】 【課題】  利用者の所在のほか、施設内における利用者の行動を容易に把握する。【解決手段】  移動端末２０の位置及びその位置を特定した時刻を履歴情報として記憶しており、各移動端末２０の位置の履歴情報をもとに、一の移動端末２０の近接位置に存在している他の移動端末２０を特定する関係利用者特定手段を有している。他の移動端末２０を特定することで、一の移動端末２０を携行している利用者の交友関係等を把握することができる。また、関係利用者特定手段により特定した他の移動端末の情報も履歴情報記憶部に蓄積しておき、これを関係利用者比較手段によって読み出して比較することにより、交友関係の変遷も把握することができる。【選択図】  図３
2009169634.tif 000002
【特許請求の範囲】
【請求項１】
施設内の適宜の位置に複数配設され、データ中継機能を備えると共に、記憶部に識別ＩＤが書き込まれてなるアドホック型の無線式の固定端末と、
前記固定端末と通信可能であり、前記施設の利用者に付帯され、データ中継機能を備えると共に、記憶部に識別ＩＤが書き込まれてなるアドホック型の無線式の移動端末と、
少なくともいずれか一つの固定端末と通信可能に設けられた監視装置本体と
を備え、
前記監視装置本体に、
前記移動端末の位置を、前記固定端末との相互位置関係から特定すると共に、特定した移動端末の位置及び当該位置を特定した時刻の履歴情報を履歴情報記憶部に記憶させる移動端末位置特定手段と、
前記履歴情報記憶部を読み込み、前記履歴情報から、一の移動端末の近接位置に存在している他の移動端末を特定し、当該他の移動端末情報を出力すると共に、当該他の移動端末情報を、特定した時刻と共に前記履歴情報記憶部に記憶させる関係利用者特定手段と
を有することを特徴とする施設利用者管理システム。
【請求項２】
施設内の適宜の位置に複数配設され、データ中継機能を備えると共に、記憶部に識別ＩＤが書き込まれてなるアドホック型の無線式の固定端末と、
前記固定端末と通信可能であり、前記施設の利用者に付帯され、データ中継機能を備えると共に、記憶部に識別ＩＤが書き込まれてなるアドホック型の無線式の移動端末と、
少なくともいずれか一つの固定端末と通信可能に設けられた監視装置本体と
を備え、
前記監視装置本体に、
前記移動端末の位置を、前記固定端末との相互位置関係から特定すると共に、特定した移動端末の位置及び当該位置を特定した時刻の履歴情報を履歴情報記憶部に記憶させる移動端末位置特定手段と、
前記履歴情報記憶部を読み込み、前記履歴情報と比較し、所定時間以上、所定範囲外への位置変動がない移動端末を抽出する異常移動端末抽出手段と
を有することを特徴とする施設利用者管理システム。
【請求項３】
施設内の適宜の位置に複数配設され、データ中継機能を備えると共に、記憶部に識別ＩＤが書き込まれてなるアドホック型の無線式の固定端末と、
前記固定端末と通信可能であり、前記施設の利用者に付帯され、データ中継機能を備えると共に、記憶部に識別ＩＤが書き込まれてなるアドホック型の無線式の移動端末と、
少なくともいずれか一つの固定端末と通信可能に設けられた監視装置本体と
を備え、
前記監視装置本体に、
前記移動端末の位置を、前記固定端末との相互位置関係から特定すると共に、特定した移動端末の位置及び当該位置を特定した時刻の履歴情報を履歴情報記憶部に記憶させる移動端末位置特定手段と、
前記履歴情報記憶部を読み込み、前記履歴情報から、一の移動端末の近接位置に存在している他の移動端末を特定し、当該他の移動端末情報を出力すると共に、当該他の移動端末情報を、特定した時刻と共に前記履歴情報記憶部に記憶させる関係利用者特定手段と、
前記履歴情報記憶部を読み込み、前記履歴情報と比較し、所定時間以上、所定範囲外への位置変動がない移動端末を抽出する異常移動端末抽出手段と
を有することを特徴とする施設利用者管理システム。
【請求項４】
さらに、前記履歴情報記憶部から、前記一の移動端末の近接位置に存在している他の移動端末情報を読み込み、前記関係利用者特定手段により特定された異なる時刻における他の移動端末情報同士を比較する関係利用者比較手段を有することを特徴とする請求項１又は３記載の施設利用者管理システム。
【請求項５】
前記関係利用者比較手段は、前記履歴情報記憶部から、前記一の移動端末と他の移動端末とが近接位置に存在している時間を読み込み、当該時間の時期による変化を求めることができることを特徴とする請求項４記載の施設利用者管理システム。
【請求項６】
施設内の適宜の位置に複数配設され、データ中継機能を備えると共に、記憶部に識別ＩＤが書き込まれてなるアドホック型の無線式の固定端末と、前記固定端末と通信可能であり、前記施設の利用者に付帯され、データ中継機能を備えると共に、記憶部に識別ＩＤが書き込まれてなるアドホック型の無線式の移動端末と、いずれか少なくとも一つの固定端末と通信可能に設けられた監視装置本体とを備えてなる施設利用者管理システムにおいて、前記監視装置本体に導入され、施設利用者の管理を実行するコンピュータプログラムであって、
前記移動端末の位置を、前記固定端末との相互位置関係から特定すると共に、特定した移動端末の位置及び当該位置を特定した時刻の履歴情報を履歴情報記憶部に記憶させる移動端末位置特定手段と、
前記履歴情報記憶部を読み込み、前記履歴情報から、一の移動端末の近接位置に存在している他の移動端末を特定し、当該他の移動端末情報を出力すると共に、当該他の移動端末情報を、特定した時刻と共に前記履歴情報記憶部に記憶させる関係利用者特定手段と
を有することを特徴とするコンピュータプログラム。
【請求項７】
施設内の適宜の位置に複数配設され、データ中継機能を備えると共に、記憶部に識別ＩＤが書き込まれてなるアドホック型の無線式の固定端末と、前記固定端末と通信可能であり、前記施設の利用者に付帯され、データ中継機能を備えると共に、記憶部に識別ＩＤが書き込まれてなるアドホック型の無線式の移動端末と、いずれか少なくとも一つの固定端末と通信可能に設けられた監視装置本体とを備えてなる施設利用者管理システムにおいて、前記監視装置本体に導入され、施設利用者の管理を実行するコンピュータプログラムであって、
前記移動端末の位置を、前記固定端末との相互位置関係から特定すると共に、特定した移動端末の位置及び当該位置を特定した時刻の履歴情報を履歴情報記憶部に記憶させる移動端末位置特定手段と、
前記履歴情報記憶部を読み込み、前記履歴情報と比較し、所定時間以上、所定範囲外への位置変動がない移動端末を抽出する異常移動端末抽出手段と
を有することを特徴とするコンピュータプログラム。
【請求項８】
施設内の適宜の位置に複数配設され、データ中継機能を備えると共に、記憶部に識別ＩＤが書き込まれてなるアドホック型の無線式の固定端末と、前記固定端末と通信可能であり、前記施設の利用者に付帯され、データ中継機能を備えると共に、記憶部に識別ＩＤが書き込まれてなるアドホック型の無線式の移動端末と、いずれか少なくとも一つの固定端末と通信可能に設けられた監視装置本体とを備えてなる施設利用者管理システムにおいて、前記監視装置本体に導入され、施設利用者の管理を実行するコンピュータプログラムであって、
前記移動端末の位置を、前記固定端末との相互位置関係から特定すると共に、特定した移動端末の位置及び当該位置を特定した時刻の履歴情報を履歴情報記憶部に記憶させる移動端末位置特定手段と、
前記履歴情報記憶部を読み込み、前記履歴情報から、一の移動端末の近接位置に存在している他の移動端末を特定し、当該他の移動端末情報を出力すると共に、当該他の移動端末情報を、特定した時刻と共に前記履歴情報記憶部に記憶させる関係利用者特定手段と、
前記履歴情報記憶部を読み込み、前記履歴情報と比較し、所定時間以上、所定範囲外への位置変動がない移動端末を抽出する異常移動端末抽出手段と
を有することを特徴とするコンピュータプログラム。
【請求項９】
さらに、前記履歴情報記憶部から、前記一の移動端末の近接位置に存在している他の移動端末情報を読み込み、前記関係利用者特定手段により特定された異なる時刻における他の移動端末情報同士を比較する関係利用者比較手段を有することを特徴とする請求項６又は８記載のコンピュータプログラム。
【請求項１０】
前記関係利用者比較手段は、前記履歴情報記憶部から、前記一の移動端末と他の移動端末とが近接位置に存在している時間を読み込み、当該時間の時期による変化を求めることができることを特徴とする請求項９記載のコンピュータプログラム。
【発明の詳細な説明】
【技術分野】
【０００１】
本発明は、施設利用者の施設内における所在管理に加えて、利用者の行動も把握することができる施設利用者管理システム及びコンピュータプログラムに関する。
【背景技術】
【０００２】
特許文献１には、従業員に携帯端末を携行させる一方、オフィスビル内などの所定の位置（入退場ゲート、会議室の出入口など）に無線サーバを設置し、携帯端末と無線サーバとの間で通信を行わせ、携帯端末の位置を特定するシステムが開示されている。
【特許文献１】特開２００３−２１９４５３号公報
【発明の開示】
【発明が解決しようとする課題】
【０００３】
特許文献１は、オフィスビルなどの所定の施設内において携帯端末の位置を特定する技術を提案し、それによって従業員の所在管理を行っている。特許文献１の技術を応用すれば、幼稚園、保育園、学校などの施設における子供の所在管理も可能である。しかしながら、単なる所在管理では、これらの施設における子供の様子ないしは行動まで把握することはできない。特に、子供の場合、単に、特定の施設内に存在しているか否かということだけでなく、保護者、教師、指導者等の管理者にとって、交友関係はどのようになっているか、あるいは、施設内において管理者の目の行き届かないところで危険な状況に遭遇していないかなど、具体的な行動を容易に把握できることが望まれる。
【０００４】
本発明は上記に鑑みなされたものであり、利用者の所在管理はもとより、施設内における利用者の行動を容易に把握することができ、特に、幼稚園、保育園、学校などの施設の利用者である子供の行動管理に適する施設利用者管理システム及びコンピュータプログラムを提供することを課題とする。
【課題を解決するための手段】
【０００５】
上記課題を解決するため、請求項１記載の本発明では、施設内の適宜の位置に複数配設され、データ中継機能を備えると共に、記憶部に識別ＩＤが書き込まれてなるアドホック型の無線式の固定端末と、
前記固定端末と通信可能であり、前記施設の利用者に付帯され、データ中継機能を備えると共に、記憶部に識別ＩＤが書き込まれてなるアドホック型の無線式の移動端末と、
少なくともいずれか一つの固定端末と通信可能に設けられた監視装置本体と
を備え、
前記監視装置本体に、
前記移動端末の位置を、前記固定端末との相互位置関係から特定すると共に、特定した移動端末の位置及び当該位置を特定した時刻の履歴情報を履歴情報記憶部に記憶させる移動端末位置特定手段と、
前記履歴情報記憶部を読み込み、前記履歴情報から、一の移動端末の近接位置に存在している他の移動端末を特定し、当該他の移動端末情報を出力すると共に、当該他の移動端末情報を、特定した時刻と共に前記履歴情報記憶部に記憶させる関係利用者特定手段と
を有することを特徴とする施設利用者管理システムを提供する。
請求項２記載の本発明では、施設内の適宜の位置に複数配設され、データ中継機能を備えると共に、記憶部に識別ＩＤが書き込まれてなるアドホック型の無線式の固定端末と、
前記固定端末と通信可能であり、前記施設の利用者に付帯され、データ中継機能を備えると共に、記憶部に識別ＩＤが書き込まれてなるアドホック型の無線式の移動端末と、
少なくともいずれか一つの固定端末と通信可能に設けられた監視装置本体と
を備え、
前記監視装置本体に、
前記移動端末の位置を、前記固定端末との相互位置関係から特定すると共に、特定した移動端末の位置及び当該位置を特定した時刻の履歴情報を履歴情報記憶部に記憶させる移動端末位置特定手段と、
前記履歴情報記憶部を読み込み、前記履歴情報と比較し、所定時間以上、所定範囲外への位置変動がない移動端末を抽出する異常移動端末抽出手段と
を有することを特徴とする施設利用者管理システムを提供する。
請求項３記載の本発明では、施設内の適宜の位置に複数配設され、データ中継機能を備えると共に、記憶部に識別ＩＤが書き込まれてなるアドホック型の無線式の固定端末と、
前記固定端末と通信可能であり、前記施設の利用者に付帯され、データ中継機能を備えると共に、記憶部に識別ＩＤが書き込まれてなるアドホック型の無線式の移動端末と、
少なくともいずれか一つの固定端末と通信可能に設けられた監視装置本体と
を備え、
前記監視装置本体に、
前記移動端末の位置を、前記固定端末との相互位置関係から特定すると共に、特定した移動端末の位置及び当該位置を特定した時刻の履歴情報を履歴情報記憶部に記憶させる移動端末位置特定手段と、
前記履歴情報記憶部を読み込み、前記履歴情報から、一の移動端末の近接位置に存在している他の移動端末を特定し、当該他の移動端末情報を出力すると共に、当該他の移動端末情報を、特定した時刻と共に前記履歴情報記憶部に記憶させる関係利用者特定手段と、
前記履歴情報記憶部を読み込み、前記履歴情報と比較し、所定時間以上、所定範囲外への位置変動がない移動端末を抽出する異常移動端末抽出手段と
を有することを特徴とする施設利用者管理システムを提供する。
請求項４記載の本発明では、さらに、前記履歴情報記憶部から、前記一の移動端末の近接位置に存在している他の移動端末情報を読み込み、前記関係利用者特定手段により特定された異なる時刻における他の移動端末情報同士を比較する関係利用者比較手段を有することを特徴とする請求項１又は３記載の施設利用者管理システムを提供する。
請求項５記載の本発明では、前記関係利用者比較手段は、前記履歴情報記憶部から、前記一の移動端末と他の移動端末とが近接位置に存在している時間を読み込み、当該時間の時期による変化を求めることができることを特徴とする請求項４記載の施設利用者管理システムを提供する。
請求項６記載の本発明では、施設内の適宜の位置に複数配設され、データ中継機能を備えると共に、記憶部に識別ＩＤが書き込まれてなるアドホック型の無線式の固定端末と、前記固定端末と通信可能であり、前記施設の利用者に付帯され、データ中継機能を備えると共に、記憶部に識別ＩＤが書き込まれてなるアドホック型の無線式の移動端末と、いずれか少なくとも一つの固定端末と通信可能に設けられた監視装置本体とを備えてなる施設利用者管理システムにおいて、前記監視装置本体に導入され、施設利用者の管理を実行するコンピュータプログラムであって、
前記移動端末の位置を、前記固定端末との相互位置関係から特定すると共に、特定した移動端末の位置及び当該位置を特定した時刻の履歴情報を履歴情報記憶部に記憶させる移動端末位置特定手段と、
前記履歴情報記憶部を読み込み、前記履歴情報から、一の移動端末の近接位置に存在している他の移動端末を特定し、当該他の移動端末情報を出力すると共に、当該他の移動端末情報を、特定した時刻と共に前記履歴情報記憶部に記憶させる関係利用者特定手段と
を有することを特徴とするコンピュータプログラムを提供する。
請求項７記載の本発明では、施設内の適宜の位置に複数配設され、データ中継機能を備えると共に、記憶部に識別ＩＤが書き込まれてなるアドホック型の無線式の固定端末と、前記固定端末と通信可能であり、前記施設の利用者に付帯され、データ中継機能を備えると共に、記憶部に識別ＩＤが書き込まれてなるアドホック型の無線式の移動端末と、いずれか少なくとも一つの固定端末と通信可能に設けられた監視装置本体とを備えてなる施設利用者管理システムにおいて、前記監視装置本体に導入され、施設利用者の管理を実行するコンピュータプログラムであって、
前記移動端末の位置を、前記固定端末との相互位置関係から特定すると共に、特定した移動端末の位置及び当該位置を特定した時刻の履歴情報を履歴情報記憶部に記憶させる移動端末位置特定手段と、
前記履歴情報記憶部を読み込み、前記履歴情報と比較し、所定時間以上、所定範囲外への位置変動がない移動端末を抽出する異常移動端末抽出手段と
を有することを特徴とするコンピュータプログラムを提供する。
請求項８記載の本発明では、施設内の適宜の位置に複数配設され、データ中継機能を備えると共に、記憶部に識別ＩＤが書き込まれてなるアドホック型の無線式の固定端末と、前記固定端末と通信可能であり、前記施設の利用者に付帯され、データ中継機能を備えると共に、記憶部に識別ＩＤが書き込まれてなるアドホック型の無線式の移動端末と、いずれか少なくとも一つの固定端末と通信可能に設けられた監視装置本体とを備えてなる施設利用者管理システムにおいて、前記監視装置本体に導入され、施設利用者の管理を実行するコンピュータプログラムであって、
前記移動端末の位置を、前記固定端末との相互位置関係から特定すると共に、特定した移動端末の位置及び当該位置を特定した時刻の履歴情報を履歴情報記憶部に記憶させる移動端末位置特定手段と、
前記履歴情報記憶部を読み込み、前記履歴情報から、一の移動端末の近接位置に存在している他の移動端末を特定し、当該他の移動端末情報を出力すると共に、当該他の移動端末情報を、特定した時刻と共に前記履歴情報記憶部に記憶させる関係利用者特定手段と、
前記履歴情報記憶部を読み込み、前記履歴情報と比較し、所定時間以上、所定範囲外への位置変動がない移動端末を抽出する異常移動端末抽出手段と
を有することを特徴とするコンピュータプログラムを提供する。
請求項９記載の本発明では、さらに、前記履歴情報記憶部から、前記一の移動端末の近接位置に存在している他の移動端末情報を読み込み、前記関係利用者特定手段により特定された異なる時刻における他の移動端末情報同士を比較する関係利用者比較手段を有することを特徴とする請求項６又は８記載のコンピュータプログラムを提供する。
請求項１０記載の本発明では、前記関係利用者比較手段は、前記履歴情報記憶部から、前記一の移動端末と他の移動端末とが近接位置に存在している時間を読み込み、当該時間の時期による変化を求めることができることを特徴とする請求項９記載のコンピュータプログラムを提供する。
【発明の効果】
【０００６】
本発明では、データ中継機能を備えると共に、記憶部に識別ＩＤが書き込まれてなるアドホック型の無線式の固定端末と移動端末を利用し、施設内の適宜の位置に固定端末を複数配設している。移動端末から、付近に設置された固定端末に当該移動端末のデータ（識別ＩＤ等）が伝送され、さらに、当該固定端末から他の固定端末にデータが順に伝送されていき、最終的に、監視装置本体においてそのデータが受信される。上記データを受信すると、監視装置本体の移動端末位置特定手段により、通信ルートから移動端末の位置が特定される。
【０００７】
本発明は、この移動端末の位置及びその位置を特定した時刻を履歴情報として記憶しており、各移動端末の位置の履歴情報をもとに、関係利用者特定手段により、一の移動端末の近接位置に存在している他の移動端末を特定する。他の移動端末を特定することで、一の移動端末を携行している利用者の交友関係等を把握することができる。
【０００８】
また、関係利用者特定手段により特定した他の移動端末の情報も履歴情報記憶部に蓄積しておき、これを関係利用者比較手段によって読み出して比較することにより、交友関係の変遷も把握することができる。特に、交友関係、はぐれ度合い、施設利用頻度、を分析することでいじめ、趣向を推測しての生活指導も可能である。
【０００９】
また、本発明は、履歴情報から、所定時間以上、所定範囲外への位置変動のない移動端末を抽出する異常移動端末抽出手段を有する。施設内の特定の場所に本来長くとどまっている必要がないにも拘わらず、所定時間以上、所定範囲外への位置変動のない移動端末が抽出された場合には、当該移動端末を携行している利用者に何らかの異常が生じていると推定できる。従って、本発明によれば、このような移動端末を抽出することで、管理者を、当該移動端末が存在している場所に速やかに向かわせることができる。
【発明を実施するための最良の形態】
【００１０】
以下、本発明の実施形態を図面に基づいて更に詳しく説明する。本実施形態の施設利用者管理システムは、固定端末１０、移動端末２０及び監視装置本体３０を有して構成される。固定端末１０及び移動端末２０は、アドホック型の無線通信方式に対応した端末装置であり、図１に示したように、データの中継機能を果たすデータ送受信部１１（２１）、及び、データ送受信部１１（２１）の駆動を制御する制御回路と制御プログラムが書き込まれる記憶部１２ａ（２２ａ）を備えた駆動制御部１２（２２）を備えている。記憶部１２ａ（２２ａ）には、固定端末１０及び移動端末２０のそれぞれを識別するための識別ＩＤが書き込まれている。また、固定端末１０と移動端末２０との間は、数秒から数十秒単位で通信を行うように設定される。なお、移動端末２０の現在位置をできるだけ正確に特定するためには、通信間隔をできるだけ短く設定した方がよいことはもちろんである。
【００１１】
このような固定端末１０及び移動端末２０としては、ＺｉｇＢｅｅ（商標）を用いることが好ましい。ＺｉｇＢｅｅ（商標）は、アドホック型の短距離低速データ通信専用であり、消費電力が低く、低コストで入手可能である。また、駆動制御部１２（２２）の記憶部１２ａ（２２ａ）に記憶された制御プログラムを書き換えることにより、他の用途にも利用できるため、汎用性が高い。但し、ＺｉｇＢｅｅ（商標）に限定されるものではなく、Ｂｌｕｅｔｏｏｔｈ（商標）、ＵＷＢ等に用いられる端末を利用することも可能である。
【００１２】
固定端末１０は、図３に示したように、幼稚園や学校などの施設内の監視エリアＡの適宜位置（Ｘ１ポイント〜Ｘ１２ポイント）に複数配置される。なお、配置形態は任意であり、１０〜４０ｍ程度の距離をおいて、網の目状や碁盤の目状等に配置される。移動端末２０の位置は、固定端末１０との位置関係から特定されるため、移動端末２０と固定端末１０の通信距離が短くなるように設定し、かつ固定端末２０の配置密度を高くすれば、移動端末２０の位置特定精度が高まる。取り付け方法も限定されるものではなく、建物の壁部の側面などに、接着剤や両面テープ等で接着等して取り付けられる。なお、移動端末２０は、施設の利用者、例えば、幼稚園や学校であれば、園児、児童、生徒等に付帯させる。
【００１３】
監視装置本体３０は、コンピュータから構成され、図２に示したように、送受信部３１を備え、少なくともいずれか一つの固定端末１０と通信可能に設定されている。監視装置本体３０の記憶部には、位置情報記憶部３２と履歴情報記憶部３３が設定されていると共に、移動端末位置特定手段３４、関係利用者特定手段３５、関係利用者比較手段３６、異常移動端末抽出手段３７等のコンピュータプログラムが設定されている。なお、コンピュータプログラムは、フレキシブルディスク、ハードディスク、ＣＤ−ＲＯＭ、ＭＯ（光磁気ディスク）、ＤＶＤ−ＲＯＭなどの記録媒体へ記憶させて提供することもできるし、通信回線を通じて伝送することも可能である。
【００１４】
位置情報記憶部３２は、監視エリアＡに配置された施設内の設備、教室などの位置を記憶している。また、図３に示したように、監視エリアＡに配置した各固定端末１０の位置（図３のＸ１ポイント〜Ｘ１２ポイント）も記憶している。履歴情報記憶部３３は、移動端末位置特定手段３４により特定される各移動端末２０の位置を、当該位置を特定した時刻と共に履歴情報として記憶する。
【００１５】
移動端末位置特定手段３４は、利用者が携行する移動端末２０の位置を特定する。すなわち、移動端末２０が監視エリアＡのいずれかの位置に存在しているとすると、当該移動端末２０から発信されるデータは、最寄りの固定端末１０によって受信された後、他のいくつかの固定端末１０を経て送受信部３１まで伝送される。移動端末位置特定手段３４は、このデータの伝達経路を各固定端末１０及び移動端末２０の識別ＩＤを基に抽出して特定し、移動端末２０の近くに存在する固定端末１０を特定する。これにより、当該固定端末１０の近辺に移動端末２０が存在することが判断できる。
【００１６】
例えば、図３に示したＸ１２ポイントに位置する固定端末１０の近くのＹ１ポイントに移動端末２０が存在している場合、Ｘ１２ポイントに位置する固定端末１０が当該移動端末２０と通信して、Ｘ９、Ｘ６、Ｘ５、Ｘ２、Ｘ１の順で通信が行われる。これにより、当該移動端末２０がＸ１２ポイントの近くに存在することがわかる。但し、Ｘ１２ポイント近辺に存在するといっても、一つの通信ルートだけでは、厳密な位置は特定し難いため、Ｘ１２ポイントを中心とした、移動端末２０の通信可能距離を半径とする円（図３のＢエリア）内にいるという位置特定になる。
【００１７】
一方、移動端末２０が位置するＹ１ポイントは、Ｘ１２ポイントだけでなく、Ｘ１１ポイントにも近い。従って、この移動端末２０の電波は、Ｘ１２ポイントの固定端末１０だけでなく、Ｘ１１ポイントに位置する固定端末１０によってもキャッチされる可能性がある。Ｘ１１ポイントの固定端末１０に電波がキャッチされた場合には、Ｘ１０、Ｘ７、Ｘ４、Ｘ１に配置された各固定端末１０の順で通信が行われる。この結果、移動端末位置特定手段３４は、Ｙ１ポイントに存在する移動端末２０が発信した電波を２つの通信ルートを経て受信することになり、当該移動端末２０の位置するＹ１ポイントが、Ｘ１１ポイント及びＸ１２ポイントの２つの固定端末１０によって受信可能な範囲に位置しているという判断をできることになり、移動端末２０の位置特定精度が向上する。
【００１８】
移動端末位置特定手段３４は、移動端末２０の位置を特定すると、その位置を特定した時刻と共に履歴情報として履歴情報記憶部３３に記憶させる。固定端末１０と移動端末２０との間では、上記したように、数秒から数十秒単位で通信が行われている。このため、移動端末位置特定手段３４は、各固定端末１０を介して新たな情報を受信して移動端末２０の位置を特定すると、その度に、履歴情報記憶部３３に、当該移動端末２０の新たな位置情報と当該位置の特定時刻を記憶させる。
【００１９】
関係利用者特定手段３５は、履歴情報記憶部３３にアクセスして、随時更新される各移動端末２０の位置情報を読み込む。読み込むタイミングは任意であり、移動端末位置特定手段３４により移動端末２０の位置情報が更新されるたびに読み込んでもよいし、それよりも長い時間間隔をおいて一定時間ごとに、あるいは必要に応じて任意に読み込むようにしてもよい。関係利用者特定手段３５は、上記のようにして履歴情報を読み込むと、一の移動端末２０の近接位置に存在している他の移動端末２０を特定する。そして、一の移動端末２０の近接位置に存在している当該他の移動端末２０の情報（識別ＩＤ等）を監視装置本体３０のディスプレイやプリンタに出力する。また、一の移動端末２０の近接位置に存在している当該他の移動端末２０の情報を、特定した時刻と共に履歴情報記憶部３４に記憶させる。なお、一の移動端末２０と他の移動端末２０との位置関係が近接位置であるかどうか、すなわち、近接位置の距離は、本システムの使用者により任意に設定できる。
【００２０】
当該他の移動端末２０の識別ＩＤが特定されれば、当該他の移動端末２０を携行している利用者も特定できる。つまり、一の移動端末２０の近接位置に存在している他の移動端末２０の利用者は、当該一の移動端末２０を携行している利用者と親しい関係にあると推定できるため、利用者の交友関係を把握するのに役立つ。また、より親しい友人ほど、より長い時間近接位置に存在していると考えられるため、関係利用者特定手段３５は、ある期間において、一の移動端末２０の近接位置に存在している他の移動端末２０の延べ時間を求め、この延べ時間が所定時間以上の他の移動端末２０のみを特定するようにすることもできる。また、延べ時間順に、複数の他の移動端末２０を出力することも可能である。
【００２１】
関係利用者比較手段３６は、履歴情報記憶部３３にアクセスして、関係利用者特定手段３５により記憶された情報を読み込み、その情報を異なる時刻で比較する。例えば、一ヶ月前のある時刻において、一の移動端末２０の近接位置に存在している他の移動端末２０の情報と、最新の特定時刻において一の移動端末２０の近接位置に存在している他の移動端末２０の情報とを比較する。あるいは、半年ほど前のある一ヶ月間において延べ時間で所定時間以上、一の移動端末２０の近接位置に存在している他の移動端末２０の情報と、最新の一ヶ月間において同様に所定時間以上近接位置に存在している他の移動端末２０の情報とを比較する。これにより、一の移動端末２０の近接位置に存在している他の移動端末２０の変遷、すなわち、交友関係の移り変わりを把握するのに役立つ。また、関係利用者特定手段３５により、一の移動端末２０の近接位置に存在している当該他の移動端末２０の情報が、特定した時刻と共に履歴情報記憶部３４に記憶されるため、一の移動端末２０と他の移動端末２０とが近接位置関係にいる時間を求めることができる。従って、関係利用者比較手段３６は、ある期間において近接位置関係にいる時間、例えば、１日当たりや１週間当たりの時間が、数ヶ月前よりも現在の方が短くなったかどうかを比較することができ、そのような場合には、親しさに変化がでてきたことを示すものと捉えることができる。
【００２２】
異常移動端末抽出手段３７は、履歴情報記憶部３３を読み込み、履歴情報から、所定時間以上、所定範囲外への位置変動のない移動端末２０を抽出する。例えば、１時間以上とどまることがあり得ない場所にとどまっているような場合には、何らかの異常事態の発生が推測できるため、その移動端末２０を抽出する。なお、どの程度位置変動のない場合に異常移動端末として検出するかは任意に定めることができる。
【００２３】
次に、図３に基づき、本実施形態の作用を説明する。例えば、図３に示したように、監視エリアＡに略碁盤の目状に、Ｘ１〜Ｘ１２の１２ポイントに固定端末１０を配置する。そして、例えば、子供Ａに付帯された移動端末２０の位置が図３のＹ１ポイントに位置しているとする。この場合においては、当該移動端末２０から発信される電波は、その最寄りに位置するＸ１２ポイントに配置された固定端末１０によってキャッチされ、当該移動端末２０の識別ＩＤを含むデータを受信する。そして、固定端末１０同士において、例えば、Ｘ１２、Ｘ９、Ｘ６、Ｘ５、Ｘ２、Ｘ１の順で通信が行われ、監視装置本体３０の送受信部３１には、Ｘ１ポイントに配置された固定端末１０から、各識別ＩＤを含むデータが送信される。
【００２４】
送受信部３１において上記データを受信すると、移動端末位置特定手段３４は、受信したデータを分析し、そのデータに含まれる各識別ＩＤから、移動端末２０の識別ＩＤを含む情報が、Ｘ１２、Ｘ９、Ｘ６、Ｘ５、Ｘ２、Ｘ１に配置された各固定端末１０の順で送信されたことを把握して、子供Ａの移動端末２０が、Ｘ１２ポイントに配置された固定端末１０の近くに存在することを特定し、その情報を特定した時刻情報と共に履歴情報記憶部３３に書き込む。
【００２５】
一方、子供Ｂが子供Ａと遊んでおり、Ｙ１ポイントの近くのＹ２ポイントにいたとする。すると、子供Ｂが携行している移動端末２０の識別ＩＤを含む情報も、上記と同様に、各固定端末１０を経由して監視装置本体３０に送信され、移動端末位置特定手段３４によって、子供Ｂの移動端末２０が、Ｘ１２ポイントの近くに存在することが特定される。すると、関係利用者特定手段３５が上記のように定期的にあるいは任意に稼働して、子供Ａの移動端末２０の近接位置に存在している他の移動端末２０として、子供Ｂの移動端末２０を特定する。これにより、子供Ａが子供Ｂと親しいことを把握できる。
【００２６】
また、ある時期において、子供Ａの近くに子供Ｂが存在していることが多かったにも拘わらず、その数ヶ月後には、子供Ａの移動端末２０の近くであるＹ３ポイントにおいて、子供Ｃの移動端末２０が多く検出される場合がある。この場合には、関係利用者比較手段３６は、履歴情報記憶部３３からその情報を読み込み、子供Ａに親しい友人が、過去のある時期においては子供Ｂであり、現在では子供Ｃであることを出力する。これにより、子供Ａの交友関係の変遷を把握できる。
【００２７】
一方、例えば、子供Ａが子供Ｂと近接した位置にいて、その数分後に、図３のＹ２ポイントから他の場所に移動したにも拘わらず、子供Ａが、図３のＹ１ポイントに、依然としてとどまっており、それが所定時間（例えば、３０分以上）継続したとする。この場合には、異常移動端末抽出手段３７は、子供Ａの移動端末２０を異常移動端末として抽出し、その旨を、監視装置本体３０のディスプレイに表示したり、プリントしたりする。あるいは、緊急事態の発生も考慮されるため、監視装置本体３０が警告音や警告ランプを駆動させたり、あるいは、管理者の携帯電話等に自動通報したりして知らせるようにすることもできる。
【００２８】
本実施形態によれば、利用者の所在位置を特定するだけでなく、ある一の移動端末２０の近くに存在する他の移動端末２０を特定でき、利用者の交友関係等を把握したり、異常移動端末を抽出したりすることができるため、特に、幼稚園、保育園、学校などの施設の利用者である子供の行動管理に適している。
【００２９】
なお、上記実施形態では、主として交友関係の把握に利用される関係利用者特定手段３５及び関係利用者比較手段３６と、利用者の異常検出に利用される異常移動端末抽出手段３７との双方を備えている。子供等の行動管理には、双方とも備えることが望ましいが、いずれか一方のみを備えた監視装置本体３０とすることも可能である。
【図面の簡単な説明】
【００３０】
【図１】本発明の一の実施形態で用いた固定端末及び移動端末の概略構成を示した図である。
【図２】上記実施形態で用いた監視装置本体の概略構成を説明するためのブロック図である。
【図３】上記実施形態の作用を説明するための図である。
【符号の説明】
【００３１】
１０  固定端末
１１  データ送受信部
１２  駆動制御部
２０  移動端末
２１  データ送受信部
２２  駆動制御部
３０  監視装置本体
３１  送受信部
３２  位置情報記憶部
３３  履歴情報記憶部
３４  移動端末位置特定手段
３５  関係利用者特定手段
３６  関係利用者比較手段
３７  異常移動端末抽出手段
【図１】
2009169634.tif 000003
【図２】
2009169634.tif 000004
【図３】
2009169634.tif 000005